(57)【要約】【課題】操作部に挿し込まれた鍵の抜き忘れを通知することができる報知システムを提供する。【解決手段】認証情報が紐付けられた鍵３１と、鍵３１が挿し込み可能、且つ、入力操作可能であって、挿し込まれた鍵３１の認証情報と入力された認証情報とが一致した場合に機械式駐車装置２０の動作が制御可能となる操作部３２と、鍵３１が挿し込まれた状態の操作部３２との距離が所定距離を超えた場合に警告を発する携帯端末３３と、を具備する。【選択図】図８
2018168593.tif 000002
【特許請求の範囲】
【請求項１】
認証情報が紐付けられた鍵と、
前記鍵が挿し込み可能、且つ、入力操作可能であって、挿し込まれた前記鍵の認証情報と入力された認証情報とが一致した場合に所定装置の動作が制御可能となる制御装置と、
前記鍵が挿し込まれた状態の前記制御装置との距離が所定距離を超えた場合に警告を発する発報手段と、
を具備する、
報知システム。
【請求項２】
前記発報手段は、
前記鍵が挿し込まれた状態の前記制御装置との距離情報を取得可能であって、
取得した前記距離情報に基づいて前記鍵が挿し込まれた状態の前記制御装置との距離が所定距離を超えたと判断する、
請求項１に記載の報知システム。
【請求項３】
前記制御装置は、
前記鍵が挿し込まれた状態で前記発報手段が受信可能な信号を発信可能であり、
前記発報手段は、
前記信号の受信状態に基づいて前記距離情報を取得する、
請求項２に記載の報知システム。
【請求項４】
前記制御装置は、
挿し込まれた前記鍵が抜き取られる場合に、認証情報の入力を要求し、
要求に応じて入力された認証情報が、挿し込まれた前記鍵の認証情報と一致した場合に前記鍵の抜き取りを可能とする、
請求項１から請求項３までのいずれか一項に記載の報知システム。
【請求項５】
前記所定装置は、
機械式駐車装置である、
請求項１から請求項４までのいずれか一項に記載の報知システム。
【発明の詳細な説明】
【技術分野】
【０００１】
本発明は、発報手段を用いて鍵の抜き忘れを報知する報知システムの技術に関する。
【背景技術】
【０００２】
従来、発報手段を用いて種々の情報を報知する報知システムの技術は公知となっている。例えば、特許文献１に記載の如くである。
【０００３】
特許文献１に記載される報知システム（制御装置）は、機械式駐車装置を利用した利用者に入出庫扉の閉め忘れを通知するためのものである。前記報知システムは、入出庫扉を開けたままで一定時間が経過すると、発報手段（携帯端末装置）へ入出庫扉の閉め忘れに関する情報を送信する。これによって、報知システムは、入出庫扉の閉め忘れを利用者に通知することができる。
【先行技術文献】
【特許文献】
【０００４】
【特許文献１】特開２０１５−１１７４７０号公報
【発明の概要】
【発明が解決しようとする課題】
【０００５】
ここで、機械式駐車装置には、操作盤に鍵を挿し込んで正しい認証情報（例えば、パスワード等）を入力することではじめて、その制御を利用者に許可するものがある。利用者は、このような鍵及び認証情報が必要な機械式駐車装置を動作させた場合に、操作盤から鍵を抜き忘れてしまう可能性がある。この場合、利用者以外の者は、正しい認証情報がわからないため、利用者が鍵を抜くまで機械式駐車装置を利用できなくなってしまう可能性がある。
【０００６】
しかし、特許文献１に記載される報知システムにおいては、入出庫扉を閉め忘れを通知するのみであるため、鍵の抜き忘れを利用者に通知することができなかった。この場合、鍵を抜き忘れた利用者に対して機械式駐車装置に戻るように促すことができず、長時間利用者以外の者が機械式駐車装置を利用できないという事態を招くおそれがあった。
【０００７】
本発明は、以上の如き状況を鑑みてなされたものであり、その解決しようとする課題は、制御装置に挿し込まれた鍵の抜き忘れを通知することが可能な報知システムを提供するものである。
【課題を解決するための手段】
【０００８】
本発明の解決しようとする課題は以上の如くであり、次にこの課題を解決するための手段を説明する。
【０００９】
即ち、請求項１においては、認証情報が紐付けられた鍵と、前記鍵が挿し込み可能、且つ、入力操作可能であって、挿し込まれた前記鍵の認証情報と入力された認証情報とが一致した場合に所定装置の動作が制御可能となる制御装置と、前記鍵が挿し込まれた状態の前記制御装置との距離が所定距離を超えた場合に警告を発する発報手段と、を具備するものである。
【００１０】
前記発報手段は、前記鍵が挿し込まれた状態の前記制御装置との距離情報を取得可能であって、取得した前記距離情報に基づいて前記鍵が挿し込まれた状態の前記制御装置との距離が所定距離を超えたと判断することとしてもよい。
このような構成により、制御装置との距離が所定距離を超えたか否かを簡単に判断することができる。
【００１１】
前記制御装置は、前記鍵が挿し込まれた状態で前記発報手段が受信可能な信号を発信可能であり、前記発報手段は、前記信号の受信状態に基づいて前記距離情報を取得することとしてもよい。
このような構成により、簡単な構成で鍵の抜き忘れを通知することができる。
【００１２】
前記制御装置は、挿し込まれた前記鍵が抜き取られる場合に、認証情報の入力を要求し、要求に応じて入力された認証情報が、挿し込まれた前記鍵の認証情報と一致した場合に前記鍵の抜き取りを可能とすることとしてもよい。
このような構成により、鍵を抜く必要性が高い制御装置においても、当該鍵の抜き忘れを通知することができる。
【００１３】
前記所定装置は、機械式駐車装置であることとしてもよい。
このような構成により、機械式駐車装置の制御装置に挿し込まれた鍵の抜き忘れを通知することができる。
【発明の効果】
【００１４】
本発明の効果として、以下に示すような効果を奏する。
【００１５】
制御装置に挿し込まれた鍵の抜き忘れを通知することができる。
【図面の簡単な説明】
【００１６】
【図１】駐車場を示した平面図。
【図２】操作部を示した図。
【図３】報知システムの動作を示したフローチャート。
【図４】鍵を抜き忘れなかった場合における利用者の行動とモード等との関係を示した図。
【図５】操作部が信号を発信している様子を示した平面図。
【図６】鍵を抜き忘れずに敷地を出た様子を示した平面図。
【図７】鍵を抜き忘れた場合における利用者の行動とモード等との関係を示した図。
【図８】鍵を抜き忘れて敷地を出た様子を示した平面図。
【発明を実施するための形態】
【００１７】
以下では、まず、図１を参照して、本実施形態に係る報知システム３０が適用される駐車場１の構成について説明する。
【００１８】
図１に示す駐車場１は、集合住宅の居住者が所有する車両Ｃを駐車するためのものである。本実施形態に係る駐車場１は、例えば、南北に延びる縦道路Ｒ１、及び縦道路Ｒ１から概ね西に延びる横道路Ｒ２に接する集合住宅の敷地Ａ内に設けられる。駐車場１は、車路１０及び機械式駐車装置２０を具備する。
【００１９】
車路１０は、車両Ｃ等が敷地Ａを出入りする際に通る道である。本実施形態において、車路１０は、南西及び南東の建物Ａ１の間を、南北に延びるように形成される。当該車路１０は、南側の端部が横道路Ｒ２と接続される。本実施形態においては、このような車路１０の横道路Ｒ２との接続部分を「出入口１１」と称する。
【００２０】
機械式駐車装置２０は、複数の駐車スペースに車両Ｃを搬送可能な装置である。機械式駐車装置２０は、例えば、車両Ｃを昇降可能な多段方式の駐車装置によって構成される。機械式駐車装置２０は、敷地Ａの北西及び北東にそれぞれ間隔をあけて設けられる。機械式駐車装置２０は、パレット２１、安全ゲート２２及び操作部３２等を具備する。
【００２１】
パレット２１は、車両Ｃを載置するためのものである。パレット２１は、昇降装置（不図示）によって昇降可能に構成される。
【００２２】
安全ゲート２２は、機械式駐車装置２０内に人が入り込まないようにするためのものである。安全ゲート２２は、機械式駐車装置２０の出入口に設けられる。安全ゲート２２は、開閉装置（不図示）によって開閉可能に構成される。
【００２３】
操作部３２は、機械式駐車装置２０を動作させるためのものである。操作部３２の構成については後述する。
【００２４】
このような機械式駐車装置２０を利用する居住者（以下、「利用者Ｕ」と称する）は、機械式駐車装置２０を動作させるための鍵３１を所有している。利用者Ｕは、当該鍵３１を用いて機械式駐車装置２０を動作させることができる。なお、鍵３１については後述する。
【００２５】
次に、図１及び図２を参照して、本実施形態に係る報知システム３０の構成について説明する。
【００２６】
図１に示す報知システム３０は、利用者Ｕに鍵３１の抜き忘れを通知するためのものである。報知システム３０は、鍵３１、操作部３２及び携帯端末３３を具備する。
【００２７】
鍵３１は、鍵ＩＤ及びパスワードを記憶可能なＩＣ（ｉｎｔｅｇｒａｔｅｄ  ｃｉｒｃｕｉｔ）カードによって構成される。鍵ＩＤは、鍵３１を特定するために、鍵３１に一意に割り当てられた文字列情報である。パスワードは、鍵３１の所有者を認証するために、鍵ＩＤと関連付けられた文字列情報である。なお、パスワードは、駐車場１の管理者から利用者Ｕに予め通知されている。また、本実施形態に係るパスワードは、数字の文字列情報となっている。
【００２８】
操作部３２は、機械式駐車装置２０の近傍に設けられる。操作部３２は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）等を具備する。操作部３２は、ＲＯＭ又はＲＡＭに記憶された各種制御プログラム等に基づいて、各種の演算処理をＣＰＵで実行可能に構成される。また、操作部３２は、ＲＯＭ又はＲＡＭに鍵ＩＤを記憶している。図２に示すように、このような操作部３２は、表示画面３２ａ、操作ボタン３２ｂ、テンキー３２ｃ、挿し込み口３２ｄ、排出ボタン３２ｅ及び発信機３２ｆ等を具備する。
【００２９】
表示画面３２ａは、種々の情報を表示するためのものである。表示画面３２ａは、例えば、液晶パネル等によって構成される。
【００３０】
操作ボタン３２ｂは、機械式駐車装置２０の動作（例えば、パレット２１を昇降させる動作や安全ゲート２２を開閉する動作等）を選択するためのものである。操作ボタン３２ｂは、機械式駐車装置２０の動作に応じて複数設けられる。
【００３１】
テンキー３２ｃは、パスワードを入力するためのものである。テンキー３２ｃは、例えば、「０」から「９」までの数字を入力するためのボタンや既に入力した数字を修正するためのボタン（「Ｃ」）や、パスワードを決定するためのボタン（「Ｅ」）等によって構成される。
【００３２】
挿し込み口３２ｄは、鍵３１を挿し込むための開口部分である。操作部３２は、挿し込み口３２ｄに鍵３１が挿し込まれると、内部に設けられたカードリーダー（不図示）によって鍵ＩＤ及びパスワードを読み取ることができる。
【００３３】
排出ボタン３２ｅは、挿し込み口３２ｄから鍵３１を排出するためのものである。排出ボタン３２ｅは、所定の条件を満たした場合に入力が受け付けられる。排出ボタン３２ｅの入力が受け付けられると、鍵３１は、挿し込み口３２ｄから排出される。
【００３４】
発信機３２ｆは、所定の通信規格に基づいて近距離無線通信を行うためのものである。発信機３２ｆは、所定の通信規格に応じた信号を発信可能に構成される。本実施形態に係る発信機３２ｆは、通信規格としてＢｌｕｅｔｏｏｔｈ（登録商標）を採用している。また、本実施形態に係る発信機３２ｆから発信される信号は、出入口１１まで届くようになっている（図５に点線で示す範囲Ｒ参照）。
【００３５】
このように構成される操作部３２は、機械式駐車装置２０に信号を送信可能に構成される。操作部３２は、所定の条件を満たした場合に操作ボタン３２ｂの入力を受け付けて、当該操作ボタンに応じた動作（例えば、安全ゲート２２を開く動作等）を機械式駐車装置２０に指示することができる。これによって、操作部３２は、機械式駐車装置２０を動作させることができる。この際、操作部３２は、当該操作に応じた情報（例えば、安全ゲート２２を開く動作中であるメッセージ等）を表示画面３２ａに表示させる。
【００３６】
図１に示す携帯端末３３は、利用者Ｕが携帯する機器である。携帯端末３３は、発信機３２ｆからの信号を受信可能（近距離無線通信可能）に構成される。携帯端末３３は、振動したり音声を出力することで、利用者Ｕに種々の情報を通知可能に構成される。携帯端末３３は、例えば、スマートフォン等によって構成される。
【００３７】
このように構成される携帯端末３３及び操作部３２は、その動作モードとして、警戒モード及び通常モードを切替可能に構成される。警戒モードは、挿し込み口３２ｄに挿し込まれた鍵３１の抜き忘れを警戒するモードである。操作部３２は、警戒モードに切り替えられると、発信機３２ｆから信号を発信させる。携帯端末３３は、警戒モードに切り替えられると、発信機３２ｆからの信号に応じて操作部３２から所定距離を超えるまで離れたと判断し、振動したり音声を出力する等して警告を発する。
【００３８】
通常モードは、鍵３１の抜き忘れを警戒しないモードである。携帯端末３３は、通常モードに切り替えられると、発信機３２ｆからの信号に関わらず警告を発しない。操作部３２は、通常モードに切り替えられると、発信機３２ｆによる信号の発信を停止する。
【００３９】
次に、図３を参照して報知システム３０の動作について説明する。
【００４０】
なお、操作部３２及び携帯端末３３は、初期設定において通常モードに切り替えられているものとする。報知システム３０は、操作部３２の挿し込み口３２ｄに鍵３１が挿されたことをトリガーにステップＳ１０へ移行する。
【００４１】
ステップＳ１０において、操作部３２は、鍵ＩＤによる認証を行う。鍵ＩＤによる認証は、利用者Ｕの所有する鍵３１（正当な鍵）が挿し込み口３２ｄに挿し込まれたか否かを確認するためのものである。操作部３２は、鍵ＩＤによる認証において、挿し込み口３２ｄに挿し込まれた鍵３１の鍵ＩＤを読み取って、ＲＯＭ又はＲＡＭに記憶された鍵ＩＤと照合する。操作部３２は、読み取った鍵ＩＤと一致する鍵ＩＤが記憶されていた場合に、利用者Ｕの所有する鍵３１が挿し込み口３２ｄに挿し込まれたと判断し、ステップＳ２０へ移行する。一方、操作部３２は、読み取った鍵ＩＤと一致する鍵ＩＤが記憶されていなかった場合に、利用者Ｕの所有する鍵３１が挿し込み口３２ｄに挿し込まれなかったと判断する。この場合、操作部３２は、挿し込み口３２ｄから鍵３１を排出し、報知システム３０の動作を終了させる。
【００４２】
ステップＳ２０において、操作部３２は、パスワードによる認証を行う。パスワードによる認証は、鍵３１を挿した者が当該鍵３１の所有者であるか否かを確認するためのものである。操作部３２は、パスワードによる認証において、表示画面３２ａにパスワードの入力を求める旨のメッセージを表示する。利用者Ｕは、当該表示画面３２ａを確認し、テンキー３２ｃを介してパスワードを入力する。操作部３２は、入力されたパスワードを鍵３１から読み取ったパスワードと照合する。操作部３２は、パスワードが一致した場合に、鍵３１を挿した者が当該鍵３１の所有者であると判断し、ステップＳ３０へ移行する。一方、操作部３２は、パスワードが一致しなかった場合に、鍵３１を挿した者が当該鍵３１の所有者でないと判断する。この場合、操作部３２は、挿し込み口３２ｄから鍵３１を排出し、報知システム３０の動作を終了させる。
【００４３】
ステップＳ３０において、操作部３２は、警戒モードに切り替えられる。この際、操作部３２は、操作ボタン３２ｂの操作を受け付けて、利用者Ｕが機械式駐車装置２０を動作可能な状態にする。また、操作部３２は、発信機３２ｆを用いて携帯端末３３と通信し、携帯端末３３を警戒モードに切り替える。その後、操作部３２は、発信機３２ｆからの信号の発信を開始する。なお、操作部３２は、当該信号の発信を通常モードに切り替えられるまで継続して行う。携帯端末３３は、ステップＳ３０の処理の後、ステップＳ４０へ移行する。
【００４４】
ステップＳ４０において、携帯端末３３は、発信機３２ｆからの信号を受信しているか否かを確認する。ここで、携帯端末３３は、発信機３２ｆからの信号が届く範囲内にあると、当該信号を受信する。一方、携帯端末３３は、発信機３２ｆからの信号が届く範囲外にあると、当該信号を受信しない。よって、携帯端末３３は、発信機３２ｆからの信号を受信しているか否かを確認することで、操作部３２から所定距離（発信機３２ｆからの信号が届く距離）を超えるまで離れているかを判断することができる。このように、発信機３２ｆからの信号を受信しているか否かに関する情報は、操作部３２との距離情報（操作部３２との距離が所定距離を超えているか否かを判断するための情報）となる。携帯端末３３は、発信機３２ｆからの信号を受信していない場合に操作部３２から所定距離を超えるまで離れたと判断し、ステップＳ５０へ移行する。一方、携帯端末３３は、発信機３２ｆからの信号を受信している場合に操作部３２から所定距離を超えるまで離れていないと判断し、ステップＳ６０へ移行する。
【００４５】
ステップＳ５０において、携帯端末３３は、鍵３１を抜き忘れたことを通知する警告を発する。前述の如く、発信機３２ｆからの信号は、出入口１１まで届くようになっている。このような構成において、利用者Ｕが操作部３２に鍵３１を挿したままで敷地Ａの外へ出ると、携帯端末３３は、発信機３２ｆからの信号を受信しなくなる（ステップＳ４０：ＮＯ）。携帯端末３３は、このような場合に操作部３２から所定距離を超えるまで離れたと判断して警告を発することで、利用者Ｕに鍵３１の抜き忘れを通知することができる。携帯端末３３は、ステップＳ５０の処理の後、もう一度ステップＳ４０へ移行する。
【００４６】
ステップＳ６０において、操作部３２は、鍵３１が抜かれたか否かを確認する。利用者Ｕは、鍵３１を抜く際に排出ボタン３２ｅを押す。操作部３２は、排出ボタン３２ｅが押されると、ステップＳ２０と同じ要領でパスワードによる認証を行う。操作部３２は、パスワードによる認証が成功した場合に挿し込み口３２ｄから鍵３１を排出する。これによって、操作部３２は、鍵３１が抜かれたと判断し、ステップＳ７０へ移行する。一方、操作部３２は、鍵３１が抜かれていないと判断した場合に、もう一度ステップＳ４０へ移行する。
【００４７】
ステップＳ７０において、操作部３２は、通常モードに切り替えられる。この際、操作部３２は、操作ボタン３２ｂの操作を受け付けないようにする。また、操作部３２は、発信機３２ｆを用いて携帯端末３３と通信し、携帯端末３３を通常モードに切り替える。その後、操作部３２は、発信機３２ｆからの信号の発信を停止する。操作部３２は、ステップＳ７０の処理の後、報知システム３０の動作を終了させる。
【００４８】
以下では、機械式駐車装置２０を利用する際の報知システム３０の動作について具体的に説明する。なお、以下では、機械式駐車装置２０に駐車した車両Ｃを出庫させる場合を例に挙げて説明する。まず、図４から図６までを参照して、利用者Ｕが鍵３１を抜き忘れない場合の報知システム３０の動作について説明する。図４は、利用者Ｕの行動に応じた報知システム３０の状態（鍵３１と携帯端末３３との遠近等）を示すものである。
【００４９】
図４及び図５に示すように、利用者Ｕは、操作部３２に鍵３１を挿し（ステップＳ１０：ＹＥＳ）、正しいパスワードを入力する（ステップＳ２０：ＹＥＳ）。これにより、操作部３２及び携帯端末３３は、通常モードから警戒モードに切り替えられる（警戒モード：×→○、通常モード：○→×、ステップＳ３０）。この際、利用者Ｕ（携帯端末３３）が操作部３２の傍に位置するため（遠近：近）、発信機３２ｆからの信号の受信強度は強くなる（受信強度：無→強）。よって、携帯端末３３は、警告を発しない（ステップＳ４０：ＹＥＳ）。
【００５０】
鍵３１を挿した利用者Ｕは、操作部３２を操作してパレット２１を昇降させた後で、安全ゲート２２を開ける。その後、利用者Ｕは、車両Ｃを出庫させ、操作部３２を操作して安全ゲート２２を閉める。以上のような一連の動作は、操作部３２の近傍で行われるため（遠近：近）、発信機３２ｆからの信号の受信強度は強いままである（受信強度：強、ステップＳ４０：ＹＥＳ）。また、利用者Ｕは、このような一連の動作を、操作部３２に鍵３１を挿したままで行う（ステップＳ６０：ＮＯ）。なお、本実施形態に係る操作部３２は、パレット２１の昇降及び安全ゲート２２の開閉を行う際に、逐一パスワードによる認証を行う。これによって、操作部３２は、利用者Ｕ以外の者が機械式駐車装置２０を動作できないようにしている。
【００５１】
安全ゲート２２を閉めた利用者Ｕは、操作部３２から鍵３１を抜く（ステップＳ６０：ＹＥＳ）。これにより、操作部３２及び携帯端末３３は、警戒モードから通常モードに切り替えられる（警戒モード：○→×、通常モード：×→○、ステップＳ７０）。これによって、携帯端末３３は、発信機３２ｆからの信号を受信しなくなる（受信強度：強→無）。なお、携帯端末３３は、通常モードに切り替えられているため、信号の受信強度に関わらず警告を発しない。
【００５２】
図４及び図６に示すように、鍵３１を抜いた利用者Ｕは、車両Ｃに乗って敷地Ａの外へ出る。これにより、携帯端末３３は、操作部３２から所定距離を超えるまで離れるものの（遠近：近→遠）、通常モードに切り替えられているため警告を発しない。
【００５３】
以上のように、報知システム３０は、警戒モードと通常モードとの切替によって、利用者Ｕが鍵３１を抜き忘れない場合には警告を発しないようにしている。
【００５４】
次に、図７及び図８を参照して、利用者Ｕが鍵３１を抜き忘れる場合の報知システム３０の動作について説明する。
【００５５】
なお、鍵３１を挿してから安全ゲート２２を閉めるまでの報知システム３０の動作は、鍵３１を抜き忘れない場合と同様であるため、その説明を省略する。
【００５６】
図７に示すように、安全ゲート２２を閉めた利用者Ｕは、操作部３２から鍵３１を抜き忘れて車両Ｃへと移動する（ステップＳ６０：ＮＯ）。この時点において、携帯端末３３は、引き続き警戒モードであるものの（警戒モード：○、通常モード：×）、操作部３２の近傍で信号を受信しているので、信号の受信強度が強いままである（遠近：近、受信強度：強）。このため、携帯端末３３は、警告を発しない（ステップＳ４０：ＹＥＳ）。
【００５７】
図７及び図８に示すように、鍵３１を抜き忘れた利用者Ｕは、車両Ｃに乗って敷地Ａの外へ出る。これにより、携帯端末３３は、発信機３２ｆからの信号が届かない場所に移動され（遠近：近→遠）、信号を受信しなくなる（受信強度：強→無、ステップＳ４０：ＮＯ）。これによって、携帯端末３３は、鍵３１が挿し込まれた状態の操作部３２から所定距離を超えるまで離れたと判断して警告を発する（ステップＳ５０）。
【００５８】
これによれば、携帯端末３３は、利用者Ｕが操作部３２から鍵３１を抜き忘れた場合に、警告を発することができる。これによって、携帯端末３３は、鍵３１の抜き忘れを利用者Ｕに通知することができる。
【００５９】
また、本実施形態に係る駐車場１は、機械式駐車装置２０を動作させるにも、操作部３２から鍵３１を抜くのにも、パスワードによる認証を成功させる必要がある。このような構成において、鍵３１の抜き忘れが生じると、利用者Ｕが敷地Ａ内に戻って鍵３１を抜くまで、利用者Ｕ以外の者が機械式駐車装置２０を利用できなくなる。このような場合においても、報知システム３０によれば、利用者Ｕに鍵３１の抜き忘れを通知することで、利用者Ｕに対して敷地Ａ内に速やかに戻るように促して、利用者Ｕ以外の者が機械式駐車装置２０を利用できなくなる時間を短くすることができる。特に、携帯端末３３は、警告を発する際に、利用者Ｕ以外の者が機械式駐車装置２０を利用できなくなっている旨のメッセージを別途通知する（例えば、音声等で出力する）ことで、敷地Ａ内に戻るのを効果的に促すことができる。
【００６０】
また、報知システム３０は、鍵３１が挿し込まれた操作部３２と携帯端末３３とが所定距離を超えるまで離れたことを、携帯端末３３で判断するようにしている。これによれば、操作部３２と携帯端末３３とが離れたことを判断してから警告を発するまでの処理を簡素化できる。
【００６１】
具体的には、仮に、操作部３２と携帯端末３３とが離れたことを操作部３２で判断する場合、離れたことを判断する機器（操作部３２）と警告を発する機器（携帯端末３３）とが互いに異なる機器となってしまう。この場合、操作部３２は、携帯端末３３が離れた際に携帯端末３３と通信してその旨を通知する必要がある。特に、本実施形態においては、発信機３２ｆからの信号が届かなくなると警告を発する構成であるため、操作部３２は、携帯端末３３と通信するのに発信機３２ｆを用いることができない。この場合、操作部３２は、例えば、インターネット回線のような携帯端末３３との距離に影響しない通信手段を用いる必要がある。
【００６２】
これに対して、本実施形態のように操作部３２と携帯端末３３とが離れたことを携帯端末３３で判断すれば、離れたと判断してから警告を発するまでの処理を携帯端末３３単体で行うことができる。これにより、携帯端末３３は、他の装置と通信することなく警告を発することができる。これによって、鍵３１の抜き忘れを抑制する動作を簡素化することができる。
【００６３】
また、携帯端末３３は、操作部３２が発する信号の強度を利用して操作部３２から所定距離を超えるまで離れたことを判断するようにしている。これによれば、携帯端末３３は、自身の現在の位置情報（緯度及び経度）を把握することなく、操作部３２から離れたことを判断することができる。これによって、携帯端末３３は、現在の位置情報を取得するためのシステム（例えば、ＧＰＳ（Ｇｌｏｂａｌ  Ｐｏｓｉｔｉｏｎｉｎｇ  Ｓｙｓｔｅｍ）等）を利用しなくて済むため、操作部３２から離れたことを容易に判断することができる。
【００６４】
また、操作部３２は、発信機３２ｆを用いて携帯端末３３を警戒モードに切り替えるようにしている。これによれば、利用者Ｕが置き忘れる等して、最初から敷地Ａの外（ステップＳ１０の時点から信号が届かない場所）にある携帯端末３３が誤って警告を発すること（誤作動）を抑制できる。
【００６５】
具体的には、操作部３２は、発信機３２ｆを用いて携帯端末３３を警戒モードに切り替えることで、鍵ＩＤ及びパスワードによる認証が成功しても（ステップＳ１０：ＹＥＳ、ステップＳ２０：ＹＥＳ）、最初から敷地Ａの外にある携帯端末３３を警戒モードに切り替えないようにすることができる。これによって、報知システム３０は、パスワードによる認証が成功した直後に（ステップＳ２０：ＹＥＳ）、敷地Ａの外に置き忘れた携帯端末３３が誤って警告を発することを抑制できる。
【００６６】
なお、本実施形態においては、利用者Ｕが出庫する場合を例に挙げて報知システム３０の動作を具体的に説明したが、報知システム３０は、入庫する場合においても出庫する場合と同様に動作する。このため、報知システム３０は、入庫する場合においても鍵３１の抜き忘れを通知することができる。
【００６７】
以上の如く、本実施形態に係る報知システム３０は、パスワード（認証情報）が紐付けられた鍵３１と、前記鍵３１が挿し込み可能、且つ、入力操作可能であって、挿し込まれた前記鍵３１のパスワードと入力されたパスワードとが一致した場合に所定装置の動作が制御可能となる操作部３２（制御装置）と、前記鍵３１が挿し込まれた状態の前記操作部３２との距離が所定距離を超えた場合に警告を発する携帯端末３３（発報手段）と、を具備するものである。
なお、パスワードが紐付けられた鍵３１とは、鍵３１に対応するパスワードが操作部３２によって判断可能であるものを指す。パスワードが紐付けられた鍵３１には、例えば、パスワードが記憶された鍵３１や鍵３１を一意に識別可能な情報（例えば、鍵ＩＤ）が記憶された鍵３１等が含まれる。
また、本実施形態における所定距離は、発信機３２ｆからの信号が届く距離（図５に点線で示す範囲Ｒの半径に対応する距離）を指す。
【００６８】
このように構成することにより、携帯端末３３は、鍵３１が挿し込まれたままで操作部３２から所定距離を超えるまで離れると警告を発することができるため、操作部３２に挿し込まれた鍵３１の抜き忘れを通知することができる。
【００６９】
また、前記携帯端末３３は、前記鍵３１が挿し込まれた状態の前記操作部３２との距離情報を取得可能であって、取得した前記距離情報に基づいて前記鍵３１が挿し込まれた状態の前記操作部３２との距離が所定距離を超えたと判断するものである。
【００７０】
このように構成することにより、携帯端末３３は、距離情報を用いて操作部３２との距離が所定距離を超えたか否かを簡単に判断することができる。
【００７１】
また、前記操作部３２は、前記鍵３１が挿し込まれた状態で前記携帯端末３３が受信可能な信号を発信可能であり、前記携帯端末３３は、前記信号の受信状態に基づいて前記距離情報を取得するものである。
【００７２】
このように構成することにより、操作部３２から所定距離を超えるまで離れたことを判断してから警告を発するまでの処理を携帯端末３３単体で行うことができるため、簡単な構成で鍵３１の抜き忘れを通知することができる。
【００７３】
また、前記操作部３２は、挿し込まれた前記鍵３１が抜き取られる場合に、パスワードの入力を要求し、要求に応じて入力されたパスワードが、挿し込まれた前記鍵３１のパスワードと一致した場合に前記鍵３１の抜き取りを可能とするものである。
【００７４】
このように構成することにより、鍵３１を抜き忘れると、当該鍵３１の所有者以外の者が機械式駐車装置２０を動作できなくなる操作部３２（鍵３１を抜く必要性が高い操作部３２）においても、当該鍵３１の抜き忘れを通知することができる。
【００７５】
また、前記所定装置は、機械式駐車装置２０である。
【００７６】
このように構成することにより、機械式駐車装置２０の操作部３２に挿し込まれた鍵３１の抜き忘れを通知することができる。
【００７７】
なお、本実施形態に係る操作部３２は、制御装置の実施の一形態である。
また、本実施形態に係る携帯端末３３は、発報手段の実施の一形態である。
【００７８】
以上、本発明の実施形態を説明したが、本発明は上記構成に限定されるものではなく、特許請求の範囲に記載された発明の範囲内で種々の変更が可能である。
【００７９】
例えば、本実施形態に係る駐車場１は、集合住宅の敷地Ａ内に設けられるものとしたが、駐車場１が設けられる場所は、これに限定されるものではなく、例えば、オフィス等の敷地内であってもよい。
【００８０】
また、機械式駐車装置２０は、多段方式の駐車装置であるものとしたが、これに限定されるものではなく、タワー式、横行昇降式地下水平循環式等であってもよい。
【００８１】
また、鍵３１は、ＩＣカードによって構成されるものとしたが、操作部３２に挿し込めるものであれば、これに限定されるものではない。
【００８２】
また、携帯端末３３は、スマートフォンで構成されるものとしたが、これに限定されるものではなく、例えば、タブレット端末等であってもよい。
【００８３】
また、警告を発する手段は、携帯端末３３のような利用者Ｕが携帯する機器に限定されるものではなく、例えば、車両Ｃに搭載されるもの（スピーカーやカーナビゲーション等）であってもよい。
【００８４】
また、操作部３２は、鍵３１を抜き挿しするのに認証が必要であるものとしたが、これに限定されるものではなく、認証することなく鍵３１を抜き挿し可能な構成であってもよい。
【００８５】
また、操作部３２は、パスワードによる認証によって利用者Ｕを認証したが、認証の種類はこれに限定されるものではなく、例えば、指紋認証や静脈認証や顔認証等であってもよい。
【００８６】
また、発信機３２ｆが発信する信号の通信規格は、Ｂｌｕｅｔｏｏｔｈであるものとしたが、これに限定されるものではなく、他の通信規格であってもよい。
【００８７】
発信機３２ｆは、出入口１１まで届くように信号を発信するものとしたが、信号が届く場所はこれに限定されるものではなく、機械式駐車装置２０の周辺環境等に応じて任意の場所まで届くようにすることができる。
【００８８】
また、発信機３２ｆは、操作部３２に設けられるものとしたが、これに限定されるものではなく、例えば、鍵３１や携帯端末３３に設けられるものであってもよい。仮に、発信機３２ｆが携帯端末３３に設けられる場合、操作部３２は、発信機３２ｆからの信号を受信可能であればよい。
【００８９】
また、携帯端末３３は、発信機３２ｆからの信号を受信しなくなった場合に操作部３２から所定距離を超えるまで離れたと判断するものとしたが、これに限定されるものではなく、例えば、受信強度が所定の閾値以下となるまで弱くなった場合に操作部３２から離れたと判断してもよい。
【００９０】
また、携帯端末３３は、発信機３２ｆからの信号を受信することなく、操作部３２から所定距離を超えるまで離れたことを判断するような構成であってもよい。この場合、携帯端末３３は、例えば、自身の現在の位置情報及び操作部３２の位置情報に基づいて操作部３２から離れたことを判断してもよい。具体的には、携帯端末３３は、ＧＰＳ等を用いて現在の位置情報を取得し、当該現在の位置情報と操作部３２の位置情報とに基づいて操作部３２との距離を算出する。携帯端末３３は、算出した距離が予め設定される閾値を超えた場合に、操作部３２から離れたと判断する。このような構成においては、操作部３２と携帯端末３３との距離が、操作部３２との距離情報となる。
【符号の説明】
【００９１】
２０    機械式駐車装置（所定装置）
３０    報知システム
３１    鍵
３２    操作部（制御装置）
３３    携帯端末（発報手段）
【図１】
2018168593.tif 000003
【図２】
2018168593.tif 000004
【図３】
2018168593.tif 000005
【図４】
2018168593.tif 000006
【図５】
2018168593.tif 000007
【図６】
2018168593.tif 000008
【図７】
2018168593.tif 000009
【図８】
2018168593.tif 000010